(57)【要約】【課題】通信端末によって情報を送受信するとき、送信側は簡単な操作で送信でき、受信側は簡単なアクセスで所望の情報を受信できるようにする。【解決手段】ユーザＡ（の通信端末）がサーバに対して情報の登録指示を行うと（Ｓ５１）、サーバが、情報の登録指示を行ったユーザＡに対してアドレスやキーワードなどの設定情報を送信する（Ｓ５２）。すると、ユーザＡは、サーバより送られてきた設定情報の中に含まれるキーワードを通信相手であるユーザＢに送信する（Ｓ５３）。これによって、ユーザＢはサーバのキーワードに接続して所望の情報を取得することができる（Ｓ５４）。また、ユーザＡがサーバに対して情報登録指示を行うとき、ユーザＢのメールアドレス情報を添付して送信すれば、サーバは、ユーザＢに対してキーワードを送信することができる。これにより、ユーザＢはサーバのキーワードに接続して所望の情報を取得できる。【選択図】        図９
2005062966.tif 000002
【特許請求の範囲】
【請求項１】
ネットワークを利用して音声情報、画像情報、文字情報を含む各種情報を送受信する通信端末と、前記通信端末との間で前記各種情報の送受信を行うサーバとを備えた通信システムであって、
前記通信端末は、
前記各種情報のうち所望の情報を取り込む情報取り込み部と、
前記情報取り込み部が取り込んだ前記所望の情報を前記サーバへ登録するための指示を行う情報登録指示部と、
前記情報登録指示部による指示の内容を画面に表示させる表示部とを備え、
前記サーバは、
前記情報登録指示部の指示に従って、前記通信端末が送信した前記所望の情報を受信して登録する情報登録部を備え、
前記サーバが、前記情報登録部に登録された前記所望の情報の登録先を示す登録先情報に対応するキーワードを、前記情報登録指示部からの指示によって設定するか、自己が決定した文字情報又は記号情報を用いてランダムに設定するか、の何れかを行うことを特徴とする通信システム。
【請求項２】
請求項１に記載の通信システムにおいて、
前記サーバは、前記通信端末から送信先通信端末のアドレスを受信しているとき、前記キーワードを前記送信先通信端末へ送信することを特徴とする通信システム。
【請求項３】
請求項１又は請求項２に記載の通信システムにおいて、
前記通信端末は、前記情報登録指示部の指示によって前記サーバヘ登録した前記所望の情報を削除するための指示を行う情報削除指示部を備え、
前記サーバは、前記情報削除指示部からの登録情報の削除指示に基づいて、前記情報登録部に登録されている前記所望の情報のうち、少なくとも１つの情報を削除する情報削除部を備える
ことを特徴とする通信システム。
【発明の詳細な説明】
【０００１】
【発明の属する技術分野】
本発明は、インターネット等のネットワークを利用した通信システムに関するものであり、より詳細には、インターネット上に存在するＵＲＬ（Ｕｎｉｆｏｒｍ  Ｒｅｓｏｕｒｃｅ  Ｌｏｃａｔｏｒｓ）にアクセスして情報の収集を行う通信システムに関するものである。
【０００２】
【従来の技術】
図１１は、一般に行われている携帯電話における画像付きメールサービスの流れを示すシーケンス図である。この図は、ユーザＡの携帯電話がユーザＢの携帯電話に画像付きメールを送る場合の処理シーケンスの一例を示している。したがって、以下の説明では、ユーザＡの携帯電話、ユーザＢの携帯電話と言うべきところを単にユーザＡ、ユーザＢと表現することにする。まず、処理１において、ユーザＡは、ユーザＢに送りたい画像を選択してメールに添付する。そして、ユーザＡはメールの送信先にメールサーバのアドレスを入力し、さらに、画像に付けたいコメントと画像を送信したい相手先（つまり、ユーザＢ）のアドレスを本文に入力する。この後、ユーザＡが送信ボタンを押すことでメールは送信される。
【０００３】
次に、処理２において、ユーザＡから送信された画像付きメールはメールサーバへ届く。すると、メールサーバは、ユーザＡから送られてきた画像付きメールに添付されている画像及び画像のコメント情報を自動登録し、画像の保存場所を示すアドレスを取得する。その後、処理３において、メールサーバは、ユーザＡが画像メールを送りたい通信相手であるユーザＢヘメールを転送する処理を行い、メールをユーザＢへ送信する。この場合、メールサーバは、本文に画像を保存した先のアドレスを記載してユーザＢのアドレス宛てへ送信する。次に、処理４において、ユーザＢは、メールサーバから送られてきたメールを受信し、メールの本文に記載されている画像保存先のアドレスにアクセスする。これによって、ユーザＢは、ユーザＡが送信した画像を見ることができる。
【０００４】
【発明が解決しようとする課題】
しかしながら、図１１に示すような処理でメールサービスを行う場合は次に述べるような種々の問題点がある。第１に、ユーザＡが画像メールを通信相手に送る場合、送信先のメールアドレスをメールサーバのアドレスにして、画像を送りたい相手先のメールアドレスを本文に入力しなければならないため、入力処理がかなり面倒となる。第２に、相手先には画像の保存先のアドレスがそのまま送信されるため、このアドレスが外部に漏れてしまった場合は、他人に画像を悪用されるおそれがある。第３に、複数の通信相手に同じ画像を送信する場合は、送信者側（つまり、ユーザＡ）は前述の図１１に示したような処理作業を通信相手の人数分だけ行うため、入力作業がかなり面倒となる。また複数の相手先にメールを送る場合は、メールサーバには同じ画像が複数登録されるため、メールサーバにかなりの負荷がかかって処理効率が悪くなるおそれがある。
【０００５】
すなわち、従来技術においては、送信者は、相手先にＵＲＬを教えてアクセスしてもらう際にメール等でＵＲＬの文字列を送信し、そのＵＲＬのアドレスを相手先が起動するという方法をとっている。しかしながら、ＵＲＬを複数の相手先に送信する場合は、長い文字列のＵＲＬをその人数分だけ入力しなければならないし、時間が経過した後に再び送信する際には、再度、長い文字列のＵＲＬを入力し直さなければならないなど、送信者にとっては通信端末の使い勝手がはなはだ悪い。
【０００６】
本発明は、上述の課題に鑑みてなされたものであり、その目的とするところは、携帯電話や携帯端末などの通信端末によって情報を送受信する場合、送信側は簡単な操作で送信することができると共に、受信側は簡単なアクセスで所望の情報を受信することができるような通信システムを提供することにある。
【０００７】
【課題を解決するための手段】
上記の目的を達成するために、本発明の通信システムは、インターネット等のネットワークを利用して音声情報、画像情報、文字情報を含む各種情報を送受信する通信端末と、この通信端末との間で各種情報の送受信を行うサーバとを備えた通信システムであって、通信端末は、各種情報のうち所望の情報を取り込む情報取り込み部と、情報取り込み部が取り込んだ所望の情報をサーバへ登録するための指示を行う情報登録指示部と、情報登録指示部による指示の内容を画面に表示させる表示部とを備え、サーバは、情報登録指示部の指示に従って、通信端末が送信した所望の情報を受信して登録する情報登録部を備えている。そして、サーバが情報登録部に登録された所望の情報の登録先を示す登録先情報に対応するキーワードを、情報登録指示部からの指示によって設定するか、又は自己が決定した文字情報又は記号情報を用いてランダムに設定するか、の何れかを行うことを特徴とする。
【０００８】
すなわち、本発明の通信システムによれば、通信端末は、自己からサーバヘ音声情報、画像情報、文字情報などの各種情報を登録するための指示を行う手段として情報登録指示部を備えている。したがって、通信端末は、情報登録指示部を用いて所望の情報を自由にサーバヘ登録することができる。さらに、通信端末は、音声情報、画像情報、文字情報などの各種情報を保存した先のＵＲＬアドレスやＵＲＬアドレスに対応したキーワードをサーバに設定することができる。したがって、通信端末が各種情報を保存した先のＵＲＬアドレスを通信相手に送る場合には、サーバがそのＵＲＬアドレスに対応したキーワードを通信相手に送ってくれる。これによって、通信相手は、文字列の多いＵＲＬアドレスを受信した場合と同じように、取得したキーワードによって画像を見ることができる。尚、通信端末の情報取り込み部が取り込む所望の情報は、画像情報、ホームページ、音声情報など如何なる情報でもよい。また、これらの所望の情報を取り込む手段は、カメラ、通信回線等どのような取込手段であってもよい。
【０００９】
また、本発明の通信システムにおいては、サーバは、通信端末から送信先通信端末のアドレスを受信しているとき、キーワードを送信先通信端末へ送信することを特徴とする。
【００１０】
すなわち、本発明の通信システムによれば、通信端末は、情報登録先のアドレス情報やアドレス情報に対応したキーワードなどをサーバに設定することができる。あるいは、サーバが自動的にアドレス情報やキーワード等を割り当てたり、又はサーバが自動的にアドレス情報を割り当てたとき、割り当てられたアドレス情報に対応するキーワード等を通信端末で設定することができる。言い換えれば、本発明の通信システムによれば、通信端末は、音声情報、画像情報、文字情報などの各種情報を保存した先のＵＲＬアドレスやＵＲＬアドレスに対応したキーワードをサーバに設定することができる。これによって、通信端末が各種情報を保存した先のＵＲＬアドレスを通信相手に送る場合には、サーバを介してそのＵＲＬアドレスに対応するキーワードを通信相手に送ることができる。したがって、通信相手は、文字列の多いＵＲＬアドレスを受信した場合と同じように、取得したキーワードによって画像を見ることができる。尚、通信端末がサーバに設定することのできる情報は、アドレス情報やキーワードやパスワードなどである。
【００１１】
また、本発明の通信システムは、上記の各発明の構成に加えて、さらに、通信端末は、情報登録指示部の指示によってサーバヘ登録した所望の情報を削除するための指示を行う情報削除指示部を備え、サーバは、情報削除指示部からの登録情報の削除指示に基づいて、情報登録部に登録されている所望の情報のうち、少なくとも１つの情報を削除する情報削除部を備えることを特徴とする。
【００１２】
すなわち、本発明の通信システムによれば、通信端末がサーバに登録しておいた音声情報、画像情報、文字情報などは、通信端末側が削除したいときは情報削除指示部の指示によって任意に削除することができる。また、サーバからも定期的に「画像を削除しますか？」等のメッセージを通信端末側へ送信することによって、登録した通信端末側が画像情報などを登録していたことを忘れていても必要に応じて削除することができる。
【００１３】
また、本発明の通信システムでは、通信端末が通信相手に対してＵＲＬアドレスに対応したキーワードを送るため、複数の通信相手に対して容易に所望の情報を送信することができる。さらに、画像付きメールの場合、サーバには同じ画像を１つしか登録しないため、サーバの負荷を軽減することができる。また、サーバが登録情報を削除する旨のメッセージを通信端末に定期的に送信することや、サーバが登録情報を削除した後に通信端末に削除した旨のメッセージを送信することもできる。
【００１４】
【発明の実施の形態】
以下、図面を用いて、本発明における通信システムの実施の形態を詳細に説明する。図１は本発明における通信システムの構成図である。本発明の通信システム１は、ネットワークを利用して音声情報、画像情報、文字情報などを含む各種情報を送受信する通信端末２と、通信端末２との間で音声情報、画像情報、文字情報などの各種情報の送受信を行うサーバ３とを備えた構成となっている。そして、通信システム１の通信形態は、通信端末２のアンテナ４とサーバ３のアンテナ２０との間で情報の送受信が行えるシステムとなっている。
【００１５】
通信端末は２、アンテナ４に送受信される電波信号を無線処理する無線回路部５、音声を拡声するスピーカ６、送受信する各種情報を記憶させるメモリ７、通信端末２における各種の制御を行う制御部８、送受信する各種情報を画面に表示させる表示部９、入力操作を行うための操作ボタンなどの入力部１０、音声情報を取り込むマイク１１、および画像情報を取り込むカメラ１２を備えている。また、制御部８は、各種情報を取り込む情報取り込み部１３と、情報取り込み部１３が取り込んだ各種情報をサーバ３へ登録するための指示を行う情報登録指示部１４と、情報登録指示部１４の指示によってサーバ３ヘ登録した各種情報を削除するための指示を行う情報削除指示部１５とを備えている。
【００１６】
サーバ３は、情報通知部１６、情報登録部１７、情報割り当て部１８、及び情報削除部１９を備えた構成となっている。情報通知部１６は、情報登録部１７に設定した設定情報の確認や情報削除部１９が行った登録情報削除のメッセージ等を通信端末２へ通知する機能を有している。情報登録部１７は、通信端末２の情報登録指示部１４からの指示に従って通信端末２が送信した各種情報を受信して登録する機能を有している。情報割り当て部１８は、サーバ３が通信端末２の登録指示によって情報登録部１７に登録した各種情報のアドレス情報やキーワードなどの設定情報を自動的に割り当ててサーバ３の記憶部（図示せず）に記憶させる機能を有している。情報削除部１９は、通信端末２の情報削除指示部１５からの登録情報の削除指示に基づいて、情報登録部１７に登録されている各種情報を削除する機能を有している。
【００１７】
そして、サーバ３は、自己の情報登録部１７に登録された各種情報の登録先を示す登録先情報に対応するキーワードを、通信端末２の情報登録指示部１４からの指示によって設定するか、サーバ３自身が決定した文字情報又は記号情報を用いてランダムに設定するかの何れかの設定制御を行う機能を有している。また、サーバ３は、通信端末２の情報削除指示部１５から登録されている情報を削除したい旨の指示を受けたとき、情報削除部１９の制御によって情報登録部１７に登録されている各種情報の削除を行う機能を有している。
【００１８】
次に、図１に示す通信システム１の動作を説明する。あらかじめ、通信端末２の情報取り込み部１３が、カメラ１２などで撮影した画像や他の通信端末（図示せず）から受信した情報など各種情報を取り込む。そして、通信端末２の情報登録指示部１４が、取り込んだ各種情報の登録指示を行ってサーバ３へ所望の情報を登録する。このとき、通信端末２は、登録したい所望の情報やアドレス情報などの設定情報を登録指示と一緒にサーバ３ヘ送信する。
【００１９】
一方、サーバ３では、情報登録部１７が、通信端末２から画像情報などの各種情報の登録指示を受け取ると、その登録指示と一緒に送られてきた画像情報などの各種情報の情報の登録を行う。また、情報割り当て部１８が、サーバ３が通信端末２の登録指示によって登録した各種情報のアドレス情報やキーワードなどの設定情報を自動的に割り当てサーバ３の記憶部（図示せず）に記憶させる。しかし、通信端末２が設定情報を登録指示情報と一緒に送ってきた場合は、サーバ３では設定情報の割り当ては行わない。また、通信端末２が必要な設定情報すべてを送ってこなかった場合は、情報割り当て部１８が漏れのある個所の設定情報の割り当てを行う。さらに、情報通知部１６は、設定情報確認や登録情報削除のメッセージ等を通信端末２へ通知する。
【００２０】
このような通信システム１によれば、通信端末２は、情報登録指示部１４を用いて各種情報を自由にサーバ３ヘ登録することができる。さらに、通信端末２は、音声情報、画像情報、文字情報などの各種情報を保存した先のＵＲＬアドレスやＵＲＬアドレスに対応したキーワードをサーバ３に設定することができる。あるいは、サーバ３が自動的にアドレス情報を割り当てたとき、割り当てられたアドレス情報に対応するキーワード等を通信端末２側で設定することができる。したがって、通信端末２が各種情報を保存した先のＵＲＬアドレスを通信相手に送る場合には、サーバ３がそのＵＲＬアドレスに対応したキーワードを通信相手に送ってくれる。これによって、通信相手は、文字列の多いＵＲＬアドレスを受信した場合と同じように、取得したキーワードによって画像を見ることができる。尚、通信端末２の情報取り込み部１３が取り込む所望の情報は、画像情報、ホームページ、音声情報など如何なる情報でもよい。また、これらの所望の情報を取り込む手段は、カメラ、通信回線等どのような取込手段であってもよい。
【００２１】
また、本発明の通信システム１によれば、通信端末２がサーバ３に登録しておいた音声情報、画像情報、文字情報などの各種情報については、通信端末２が削除したいときは、情報削除指示部１５の指示によって任意に削除することができる。また、サーバ３からも定期的に「画像を削除しますか？」等のメッセージを通信端末２側へ送信することによって、登録した通信端末２が画像情報などを登録していたことを忘れていても、通信端末２の確認を得てから必要に応じて削除することができる。さらに、本発明の通信システム１では、通信端末２が図示しない通信相手に対してＵＲＬアドレスに対応したキーワードを送るため、複数の通信相手に対して容易に所望の情報を送信することができる。また、画像付きメールの場合、サーバ２には同じ画像を１つしか登録しないため、サーバ２の負荷を軽減することができる。さらに、サーバ２が登録情報を削除する旨のメッセージを通信端末２に定期的に送信することや、サーバ３が登録情報を削除した後に通信端末２に削除した旨のメッセージを送信することもできる。
【００２２】
次に、フローチャート及び各種画面を用いて、本発明の通信システムによって情報を送受信する場合の具体的な例を説明する。図２は、本発明の通信システムによって情報が送受信される具体例を示すフローチャートである。また、図３は、図２のフローチャートに対応する画面表示のフローを示し、アドレス登録及びＩＤ登録の処理手順を示した画面表示図である。図３の画面は、「アドレス登録設定画面」２０１、「ユーザＩＤ登録画面」２０２、「ユーザＩＤ登録実行画面」２０３、「ユーザＩＤ入力画面」２０４、「アドレス登録テーブル一覧」２０５、及び「登録内容確認画面」２０６の画面例を示している。さらに、図４は、図２のフローチャートに対応する画面表示のフローを示し、登録データ削除の処理手順を示した画面表示図である。図４の画面は、「アドレス登録テーブル一覧」２１０、「削除項目選択画面」２１１、「削除確認画面」２１２、及び「削除完了画面」２１３の画面例を示している。したがって、図２のフローチャートと図３、図４の画面表示フロー図を用いて、送信者側の通信端末がアドレスをサーバに登録し、登録したアドレスを第三者の通信端末が簡単な方法でアクセスできる処理の流れを説明する。
【００２３】
まず、通信端末は、アドレスを登録する際に図３の「アドレス登録設定画面」２０１を表示し（ステップＳ１）、アドレスを登録するのか、アドレスを登録するための前処理であるユーザＩＤの登録をするのかの選択を行う（ステップＳ２）。つまり、アドレスを登録するには必ずユーザｌＤの登録を行う必要がある。ここで、ステップＳ２においてアドレスの登録を選択した場合には（ステップＳ２，Ｙｅｓ）、図３の「ユーザＩＤ入力画面」２０４を表示し（ステップＳ３）、ユーザによるＩＤ入力処理を行う（ステップＳ４）。図３の「ユーザＩＤ入力画面」２０４においてユーザＩＤの入力が終了した後に＜決定＞が押下されたか否かを判断し（ステップＳ５）、＜決定＞が押下された場合には（ステップＳ５、ＹＥＳ）、図３の「アドレス登録テーブル一覧」２０５を表示した後にアドレス等の情報登録処理を行う（ステップＳ６）。このとき、「アドレス登録テーブル一覧」２０５には、ユーザＩＤを登録した人の対象データのみ（つまり、作成者本人のデータのみ）が表示される。
【００２４】
また、ステップＳ６のアドレス等の情報登録処理を行ったときは、図３の「アドレス登録テーブル一覧」２０５に示すように、アドレス２０６とユーザｌＤである暗証番号２０９とアドレスに対応するキーワードと送信相手先のアドレス等をユーザが設定できるようになっている。もし、ユーザの設定に漏れがあった場合、例えばユーザがアドレスのみ設定入力した場合は、暗証番号とキーワード等を自動的にサーバ側で割当を行う。その後、ユーザにより図３の「アドレス登録テーブル一覧」２０５で＜登録＞を選択することによって（ステップ７、ＹＥＳ）、上記でユーザが設定した情報の登録処理を行う。情報を登録する前には、ユーザが設定した情報の登録の確認を行う画面へ移行し（ステップＳ８）、ユーザにより確認画面において登録の指示があると登録処理を行う（ステップＳ９、ＹＥＳ）。いっぽう、ユーザ確認画面において、登録の指示がない場合は（ステップＳ９，Ｎｏ）、Ｓ６の「アドレス登録テーブル一覧」の画面へ移行し、前記情報登録処理を続行する。
【００２５】
また、ステップＳ５で＜決定＞が押下されない場合には（ステップＳ５，Ｎｏ）、図３の「アドレス登録テーブル一覧」２０５で＜取消＞が選択されたか否かが判断され（ステップＳ１０）、＜取消＞が選択された場合には（ステップＳ１０，Ｙｅｓ）、ステップＳ１の「アドレス登録設定画面」２０４の表示に移行して前述の処理を繰り返す。また、ステップＳ１０で＜取消＞以外が選択された場合には（ステップＳ１０，Ｎｏ）、ステップＳ４へ移行して前述の処理を繰り返す。
【００２６】
また、ステップＳ６で設定情報登録の入力が終了した後に、図３の「アドレス登録テーブル一覧」２０５で＜登録＞が選択されない場合は（ステップＳ７，Ｎｏ）、＜削除＞が選択されたか否かを判断し（ステップＳ１６）、＜削除＞が選択された場合には（ステップＳ１６，Ｙｅｓ）、図４の「アドレス登録テーブル一覧」２１０を表示して＜削除＞を押下して削除項目選択処理を行う（ステップＳ１８）。
【００２７】
そして、ステップＳ１８の削除項目選択処理を行った後、図４の「削除項目選択画面」２１１で＜決定＞が押下されたか否かを判断し（ステップＳ１９）、＜決定＞が押下されたら（ステップＳ１９，Ｙｅｓ）、図４の「削除確認画面」２１２を表示する（ステップＳ２０）。そして、「削除確認画面」２１２を確認した後、＜決定＞が選択されたか否かを判断し（ステップＳ２１）、＜決定＞が選択されたら（ステップＳ２１，Ｙｅｓ）、図４の「削除完了画面」２１３を表示し（ステップＳ２２）、ステップＳ１の「アドレス登録設定画面」の表示に移行する。以下、ステップＳ１から前述のような処理を繰り返す。
【００２８】
また、ステップＳ１９において、図４の「削除項目選択画面」２１１で＜決定＞が押下されない場合は（ステップＳ１９，Ｎｏ）、＜取消＞が押下されたか否かが判断され（ステップＳ２３）、＜取消＞が押下された場合には（ステップＳ２３，Ｙｅｓ）、ステップＳ６の「アドレス登録一覧画面」の表示に移行して前記情報登録処理を行い、以降は前述の各ステップの処理を繰り返す。また、ステップＳ２１で＜決定＞が選択されなかった場合（ステップＳ２１，Ｎｏ）や、ステップＳ２３で＜取消＞が押下されない場合は（ステップＳ２３，Ｎｏ）、ステップＳ１８の削除項目選択処理に移行し、以降は前述の各ステップの処理を繰り返す。
【００２９】
また、ステップＳ２でアドレス登録が行われていない場合や（ステップＳ２，Ｎｏ）、ユーザｌＤ登録が済んでいない場合には、図３の「ユーザＩＤ登録画面」２０２を表示して（ステップＳ１１）、ユーザＩＤ登録処理を行い（ステップＳ１２）、図３の「ユーザＩＤ登録画面」２０２で＜決定＞が押下されたか否かを判断して（ステップＳ１３）、＜決定＞が押下された場合には（ステップＳ１３，Ｙｅｓ）、図３の「ユーザＩＤ登録実行画面」２０３を表示してユーザＩＤ登録を実行する（ステップＳ１４）。また、ステップＳ１３で＜決定＞が押下されない場合には（ステップＳ１３，Ｎｏ）、図３の「ユーザＩＤ登録画面」２０２で＜取消＞が押下されたか否かを判断し（ステップＳ１５）、＜取消＞が押下されない場合は（ステップＳ１５，Ｎｏ）、ステップＳ１２へ移行して前述の処理を繰り返す。また、ステップＳ１５において図３の「ユーザＩＤ登録画面」２０２で＜取消＞が押下された場合は（ステップＳ１５，Ｙｅｓ）、ステップＳ１へ移行して前述の処理を繰り返す。
【００３０】
図５は、登録ユーザがメールを送信する際に送信データを自動生成する処理手順を示すフローチャートである。すなわち、このフローチャートは、送信者が登録したテーブルを簡単に第三者にメールで送信するための処理手順を示している。まず、送信者であるデータ登録者が第三者にメール送信を行うか否かを判断し（ステップＳ３１）、メール送信を行うのであれば（ステップＳ３１，Ｙｅｓ）、ＵＲＬアドレスを送信するか否かを判断する（ステップＳ３２）。
【００３１】
そして、ＵＲＬアドレスを送信する場合（ステップＳ３２，Ｙｅｓ）、データ登録者は、アドレス登録テーブル一覧に登録されている第三者へ送りたいＵＲＬアドレス（例えば、ｈｔｔｐ：／／ｗｗｗ…）を指定することによって、当該ＵＲＬアドレスに対応したキーワード（例えば、ａｂｃ）をメッセージに付加し（ステップＳ３３）、メッセージを送信する（ステップＳ３４）。これにより、文字列の長いＵＲＬなどでも簡単なデータ（キーワード）のみでメールを送信することができる。尚、ステップＳ３１でメール送信を行わない場合は（ステップＳ３１，Ｎｏ）、そのまま終了する。さらに、ステップＳ３２でＵＲＬアドレスを送信しない場合は（ステップＳ３２，Ｎｏ）、メールにＵＲＬアドレスに対応したキーワードを付加することなく、メッセージ送信を行う（ステップＳ３４）。また、メールを受信した第三者は受け取ったデータによって、特定の人だけがアクセスできるデータあるいはホームページを閲覧することができる。
【００３２】
図６は、図５に示すメール送信時のフローチャートに対応する画面表示図である。図６において、画面４０１のように、送信側が先頭の基本部分のアドレスを入力せずに、キーワードとしてテーブルの名前から後ろの部分（例えば、“ｋｏｋｕｓａｉ”）のみを送信する。すると、受信側は、画面４０２のように、キーワード（例えば、“ｋｏｋｕｓａｉ”）の表示された受信画面を表示する。これによって、画面４０３のように、受信側はキーワードに基づいて所望のホームページにアクセスすることができる。
【００３３】
図７は、登録アドレスへの未アクセス時における削除通知の処理手順を示すフローチャートである。また、図８は、図７のフローチャートに対応する削除画面の表示フローを示す画面表示図であり、「登録データ削除確認画面」６０１と「削除種別設定画面」６０２からなる。したがって、図８を参照しながら図７のフローチャートを説明する。
【００３４】
まず、登録側ユーザの登録したアドレスについて一定の期間アクセスがないか否かを判定し（ステップＳ４１）、一定の期間アクセスがない場合には（ステップＳ４１，Ｙｅｓ）、登録したユーザに対して図８に示す「登録データ削除確認画面」６０１を表示する（ステップＳ４２）。そして、「登録データ削除確認画面」６０１で＜決定＞が押下されたか否かを判断し（ステップＳ４３）、＜決定＞が押下された場合は（ステップＳ４３，Ｙｅｓ）、図８に示す「削除種別設定画面」６０２を表示する（ステップＳ４４）。
【００３５】
ここで、「削除種別設定画面」６０２において＜決定＞が指定されたか否かが判断され（ステップＳ４５）、＜決定＞が指定された場合には（ステップＳ４５，Ｙｅｓ）、設定の種別は「自動」であるか否かが判断され（ステップＳ４６）、「自動」の場合には（ステップＳ４６，Ｙｅｓ）、「削除指示」を送信して、図８に示す削除処理６０４を実行する（ステップＳ４７）。また、ステップＳ４６で「自動」でない場合は「手動」であるので（ステップＳ４６，Ｎｏ）、「手動」で操作を行うために、図８に示す「アドレス登録テーブル一覧表示」６０３に移行し（ステップ４８）、手動で削除処理を実行する（ステップＳ４９）。
【００３６】
図９は、本発明の通信システムを適用した場合の通信端末における画像付きメールサービスの流れを示すシーケンス図の一例である。すなわち、図９は、図１１に示す従来のメールサービスのシーケンス図と対比するためのシーケンス図であって、ユーザＡの通信端末がユーザＢの通信端末に画像付きメールを送る場合の処理シーケンスの一例を示している。尚、以下の説明では、ユーザＡの通信端末、ユーザＢの通信端末という表現を省略して、単にユーザＡ、ユーザＢと云うことにする。
【００３７】
図９において、ユーザＡがサーバに対して情報登録指示を行うと（ステップＳ５１）、サーバが、情報登録指示を行ったユーザＡに対してアドレスやキーワード等の設定情報を送信する（ステップＳ５２）。すると、ユーザＡは、サーバより送られてきた設定情報の中に含まれるキーワードを通信相手の通信端末であるユーザＢに送信する（ステップＳ５３）。これによって、ユーザＢはサーバのキーワードに接続して所望の情報を取得する（ステップＳ５４）。
【００３８】
図１０は、本発明の通信システムを適用した場合の通信端末における画像付きメールサービスの流れを示すシーケンス図の他の例である。ユーザＡがサーバに対して情報登録指示を行うとき、ユーザＢのメールアドレス情報を添付して送信する（ステップＳ６１）。すると、サーバは、情報登録指示を行ったユーザＡに対してアドレスやキーワード等の設定情報を送信すると共に（ステップＳ６２）、
ユーザＢに対してキーワードを送信する（ステップＳ６３）。これによって、ユーザＢはサーバのキーワードに接続して所望の情報を取得する（ステップＳ６４）。このようにして、ユーザＡが、キーワードを送りたいユーザＢのメールアドレス情報を予めサーバヘ送信しておくことにより、サーバは、自動的にメールを作成し、情報登録指示をしたユーザＡが送信したい通信相手のユーザＢへキーワードを送信することができる。
【００３９】
以上説明したように、本発明の通信システムでは、情報を送信する通信端末は、従来技術のように長い文字列のＵＲＬを入力することなく、簡単な操作で受信側の通信端末に所望の情報をアクセスさせることができる。さらには、誰にでも簡単にＵＲＬ登録テーブルの生成を行うことができ、かつアクセス時の暗証番号も自動的に設定することができる。また、送信側の通信端末自らが作成したデータを何時でも何度でも簡単に第三者の通信端末に閲覧してもらうことができる。さらに、サーバは、不要となったデータを自動的に判断して、データの作成者（登録者）に対して不要データである旨の警告を発することができる。
【００４０】
以上述べた実施の形態は本発明を説明するための一例であり、本発明は、上記の実施の形態に限定されるものではなく、発明の要旨の範囲で種々の変形が可能である。すなわち、本発明の通信システムによれば、メールの送受信ができる携帯電話やＰＨＳなどの通信手段と、ＵＲＬなどをユーザが自由に登録できるコンテンツと、登録されたＵＲＬに基づいてサイトの検索を自動的に行える検索手段とを備えたＵＲＬアクセスシステムにおいて、ユーザがあらかじめ画像や文書などを登録したホームページのアドレスを共通のアドレス登録テーブルに登録しておけば、その都度、長いＵＲＬを入力することなく、簡単なアクセスでユーザはいつでも所望の情報にアクセスすることができるＵＲＬアクセスシステムを構築することができる。
【００４１】
また、本発明の通信システムによれば、アドレスを共通のアドレス登録テーブルに登録した際に、ユーザがアクセスする際に必要な暗証番号として、テーブルＮｏとスクランブルデータを組み合わせた番号を自動的に割り当てるＵＲＬアクセスシステムを構築することができる。さらに、アドレス登録テーブルに登録したアドレスデータを、ある一定期間アクセスがない場合や登録後の期間が一定期間を過ぎた場合には、自動的に消去することができるＵＲＬアクセスシステムを構築することができる。また、アドレス登録テーブルを消去する際に、予め登録してある登録者のアドレスに対して消去する旨の通知を行うＵＲＬアクセスシステムを構築することもできる。さらに、アドレス登録テーブルに複数個のデータが存在する場合は、複数個のアクセス番号を入力することで一度に切り替えて画像などを見ることができるＵＲＬアクセスシステムを構築することもできる。
【００４２】
【発明の効果】
以上説明したように、本発明の通信システムによれば、携帯電話やパソコンなどの通信端末によって自分で作成したホームページなどを第三者に送信して閲覧してもらう場合、送信するときに長いＵＲＬを入力することなく簡単にアクセスすることができるため、極めて使い勝手のよい通信端末を実現することができる。また、サーバが自動的に暗証番号を付加することにより登録したアドレスのアクセスが制限されるため、データの保護が強化される。さらに、ＵＲＬ登録テーブルに登録してあるアドレスに対して、ある一定の期間中にアクセスがない場合には、情報を登録したユーザに対して削除する旨をメールにて通知されることにより、情報の無制限な作成及び保存を規制することができる。
【図面の簡単な説明】
【図１】本発明における通信システムの構成図である。
【図２】本発明の通信システムによって情報が送受信される具体例を示すフローチャートである。
【図３】図２のフローチャートに対応する画面表示のフローを示し、アドレス登録及びＩＤ登録の処理手順を示した画面表示図である。
【図４】図２のフローチャートに対応する画面表示のフローを示し、登録データ削除の処理手順を示した画面表示図である。
【図５】登録ユーザがメールを送信する際に送信データを自動生成する処理手順を示すフローチャートである。
【図６】図５に示すメール送信時のフローチャートに対応する画面表示図である。
【図７】登録アドレスへの未アクセス時における削除通知の処理手順を示すフローチャートである。
【図８】図７のフローチャートに対応する削除画面の表示フローを示す画面表示図である。
【図９】本発明の通信システムを適用した場合の携帯端末における画像付きメールサービスの流れを示すシーケンス図の一例である。
【図１０】本発明の通信システムを適用した場合の通信端末における画像付きメールサービスの流れを示すシーケンス図の他の例である。
【図１１】一般に行われている携帯電話における画像付きメールサービスの流れを示すシーケンス図である。
【符号の説明】
１  通信システム、２  通信端末、３  サーバ、４  アンテナ、５  無線回路部、６  スピーカ、７  メモリ、８  制御部、９  表示部、１０  入力部、１１マイク、１２  カメラ、１３  情報取り込み部、１４  情報登録指示部、１５情報削除指示部、１６  情報通知部、１７  情報登録部、１８  情報割り当て部、１９  情報削除部。
【図１】
2005062966.tif 000003
【図２】
2005062966.tif 000004
【図３】
2005062966.tif 000005
【図４】
2005062966.tif 000006
【図５】
2005062966.tif 000007
【図６】
2005062966.tif 000008
【図７】
2005062966.tif 000009
【図８】
2005062966.tif 000010
【図９】
2005062966.tif 000011
【図１０】
2005062966.tif 000012
【図１１】
2005062966.tif 000013